(57)【要約】【課題】従来、建築、土木等の建設現場で、強アルカリ性の排水がある場合に、その排水を、発生現場にてＰＨ処理して排水する必要があった。この雨水等のコンクリート排水は強アルカリ性のため、ＰＨ処理を行って排出せねばならず、小型で移動可能な処理方法、及び装置が望まれていた。又、中和処理機の装置が無い場合は、手作業で中和剤と混合させ、ＰＨ計で測定しながら中和を行い、排水する手間が必要であった。【解決手段】本発明は、移動式の自吸の中和処理機を移動して、自吸して処理することが出来る。また、中和剤として硫酸バンドを用いた小型で移動可能なＰＨ処理中和装置を提供する。【選択図】      図１
2018183727.tif 000002
【特許請求の範囲】
【請求項１】
中和処理装置は、反応槽と、中和剤貯槽と、ノッチタンクと、制御盤とにより構成されており、
反応槽本体の内部には、循環水が、貯留されており、反応槽に設置された吸引撹拌ノズルにより吸引と反応撹拌され、反応槽本体の内部には電極棒が設置され、制御盤のレベルスイッチに信号が伝達され、その信号により循環ポンプが制御されており、又反応槽本体の内部には、ＰＨ測定センサが配置され、反応槽本体の内部の水のＰＨ値を制御盤内のＰＨ指示調節計に伝達し、その適正ＰＨ値となるよう薬注ポンプの注入量を調節し、エジェクターに供給され中和処理された反応槽本体内の処理後水は、ノッチタンクへと越流排出され、ノッチタンクに設けられた放流口より放流排出されるように構成されていることを特徴とする排水の中和処理機。
【請求項２】
中和剤として、硫酸バンドを用いることを特徴とする請求項１記載の排水の中和処理機。
【発明の詳細な説明】
【技術分野】
【０００１】
本発明は、アルカリ性排水の移動式の自吸の中和処理機に関する。
【背景技術】
【０００２】
従来、建築、土木等の建設現場で、強アルカリ性の排水がある場合に、その排水を発生現場にてＰＨ処理して排水する必要があった。
固定式の中和処理機の装置が有る場合は、その場にいちいちアルカリ性排水の入った容器をその場所に持ち運んで中和処理する必要があった。
又、中和処理機の装置が無い場合は、手作業で中和剤と混合させ、ＰＨ計で測定しながら中和を行い、排水する手間が必要であった。
又、下水局等の管轄署が、排水量とＰＨ値を、証拠値として記録する必要性があった。
本発明は、移動式の自吸の中和処理機を移動して、自吸して処理することが出来る。
従来例として特開２０１４−０２３９８３号があるが、この例は、炭酸ガスを使用して中和する方法であるが、装置が非常に大形となり、移動して使用することも適してなかった。
【先行技術文献】
【特許文献】
【０００３】
【特許文献１】特開２０１４−０２３９８３号
【発明の概要】
【発明が解決しようとする課題】
【０００４】
本発明は、これらの問題を解消しようとする建築土木等の建設現場の強アルカリ性の雨水等Ｗaを小型の装置で、処理排水できる移動式の排水中和方法、及び装置を提供するものである。
【課題を解決するための手段】
【０００５】
中和処理装置は、反応槽と、中和剤貯槽と、ノッチタンクと、制御盤とにより構成されており、
反応槽本体の内部には、水が、貯留されており、反応槽内部に設置された吸引撹拌ノズルにより吸引撹拌され、反応槽本体の内部には電極棒が設置され、制御盤のレベルスイッチに信号が伝達され、その信号により吸引撹拌ポンプが制御されており、又反応槽本体の内部には、ＰＨ測定センサが配置され、反応槽本体の内部の水のＰＨ値を制御盤内のＰＨ指示調節計に伝達し、その測定値に基づいたＰＨ値となるよう薬注ポンプの注入量を調節し、吸引撹拌ノズルに供給され、中和処理された反応槽本体内の処理後水は、ノッチタンクへと供給され、ノッチタンクに設けられた放流口より放流排出されるように構成されていることを特徴とする排水の中和処理方法及び装置を提供する。
【０００６】
中和剤として、硫酸バンドを用いることを特徴とする請求項１記載の排水の中和処理機を提供する。
【０００７】
硫酸バンドは、安全性が高く、毒性が少ない。
【発明の効果】
【０００８】
（１）中和剤としては、硫酸バンドを用いることにより、建築土木等の建設現場の強アルカリ性の雨水等を小型の装置で、処理排水可能な移動式の排水中和処理機を提供することが出来る、極めて実用的な機能を発揮するものである。
（２）又、消費電力が少なく、省エネ型であり、家庭用電源でも使用できる。
【図面の簡単な説明】
【０００９】
【図１】実施例の中和処理装置の作動系統を示す全体システム図である。
【図２】実施例の中和処理装置１の上方より見た平面図である。
【図３】実施例の中和処理装置１の正面図である。
【図４】裏側から見た背面図である。
【発明を実施するための形態】
【００１０】
なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例】
【００１１】
以下、本発明の実施例について、図面を参照しながら説明する。
図１は、本発明の実施例の作動系統を示す全体システム図である。
【００１２】
中和処理装置１は、図１のごとく主としてエジェクター内蔵の反応槽２と、中和剤貯槽３と、ノッチタンク４と、制御盤５とにより構成されている。
【００１３】
反応槽２の構成を説明すると、反応槽２の内部には、エジェクター循環水が貯留されており、エジェクター循環水は、反応槽２の内部に設置された電動ポンプで反応槽２の内部に設置されたジェットエジェクターノズル１２に供給されたエジェクター効果で吸引力が発生し、循環水を吸引と撹拌反応を行う。
ジェットエジェクターノズル１２は、反応槽２の内部に設置された吸引撹拌を発生させる循環ポンプ１３により作動する。
反応槽２の内部には電極棒１４が設置され、制御盤５のレベルスイッチ２０に信号が伝達され、その信号により吸引撹拌ポンプ１３が制御されている。
又反応槽２の内部には、ＰＨ測定センサ２１が配置され、反応槽本体１０の内部の水のＰＨ値を制御盤５内のＰＨ指示調節計２２に伝達し、その測定値に基づいたＰＨ値となるよう薬注ポンプ３１の注入量を調節し、中和制御が行われる。
【００１４】
中和剤貯槽３の内部には、液体の中和剤が貯留され、電動の薬注ポンプ３１により中和剤が、サイフォン止め逆止弁３２を経由し前記吸引撹拌ノズル１２に供給される。
中和剤貯槽３の内部には、フロートスィッチ３３が設けられ、制御盤５内の薬液ポンプレベル制御スイッチ３４と信号伝達し、中和剤貯槽３の内の薬液レベルを制御している。
尚、このノッチタンク4には、仕切りがが、設けられており、滞留させて、処理の完結を行う。
【００１５】
ノッチタンク４のノッチタンク本体４０の内部には、仕切り４１が設けられ、第１室４２と、第２室４４とに分けられ、該仕切４１の下部の開口４３を通じて第２室４３に越流排出される。
第２室４４の他端には、仕切り４５が設けられ、該仕切り４５により液面レベルが決定される。
仕切り４５より越流した処理後水は、第３室４６に流入し、第３室４６の上部付近に設けられた放流口４７より中和処理された処理後水が、外部の好ましい場所に放流排出されるように構成されている。
【００１６】
制御盤５のＰＨ指示調節計２２の信号は、ペーパレスレコーダ５０に自動的にすべて記録されていて、必要に応じて外部パソコン６に読込んで表示することが出来る。
【００１７】
中和剤としては、硫酸バンドが用いられる。硫酸バンドとは、化学式ＡＬ2(ＳＯ4)3で表される液体硫酸アルミニュームのことである。
硫酸バンドは、工業廃水や下水等の無機系水処理剤として使用されており、例えば適正なＰＨとするために、硫酸バンドを注入するだけで中和出来る効果を有する。
薬注ポンプ３１の流量を制御することにより、処理後水のＰＨ値を調節可能に構成している。
【００１８】
中和処理装置１の初回運転時は、反応槽２の上面に設けられた呼び水孔４８より呼び水を注入して運転を開始する。
図２〜図４は中和処理装置１の配置構成の１例を示すものである。
図２は中和処理装置１の上方より見た平面図である。
図３は中和処理装置１の正面図である。
図４は、裏部から見た背面図である。
【００１９】
図２〜図４の構造では、中和処理装置１は、枠体内に設置され、枠体の下面には、移動用の固定車輪５６と首振り車輪５７が設けられており、移動ハンドル５８により人力で移動できるよう構成されている。
枠体の上方には吊上げフック５９が取付けられている。
【００２０】
配置の１例としては、第3図に示す如く、正面の制御盤５の右には、中和剤貯槽３が配置され、又、第2図に示す如く、その後方には右に反応槽２、左にノッチタンク４が配置されている。
【００２１】
寸法について述べる。但しこれらの数値は、例示であって、範囲を規制したものではない。
移動が容易なよう小型化するもので、枠体の移動ハンドルを含む全体幅は、１，３００〜１，８００ｍｍ、高さは、１，３００〜１，６００ｍｍ、奥行きは、７５０〜９５０ｍｍである。
【００２２】
吸水孔１１の直径は、通常内径２０〜３０ｍｍφ前後のホースを接続できる。
放流口４７は、通常４０〜６５ｍｍφとなっており、同様にホースを接続することもできる。
【００２３】
又容量は、反応槽２は、３０〜６０Ｌ、中和剤貯槽３は、１２〜１８Ｌ、ノッチタンク４は、１５０〜３００Ｌである。
【００２４】
全体重量は、無水時２５０kg〜運転時８００kgと軽量であり、下部の車輪により人力で容易に移動可能となっている。
又、消費電力が少なく、省エネ型であり、家庭用電源でも使用できる。
【産業上の利用可能性】
【００２５】
本発明の活用例としては、以上説明したように、建設現場等において、持ち運びが便利で、小さい構造で、強アルカリ性の水を吸水し、ＰＨ中和処理できる中和処理機を提供することにより、新商品による産業の発展に貢献できる新規かつ実用的な発明である。
【符号の説明】
【００２６】
１    中和処理装置
２    反応槽
３    中和剤貯槽
４    ノッチタンク
５    制御盤
６    外部パソコン
１１  吸込み口
１２  ジェットエジェクターノズル
１３  循環ポンプ
１４  電極棒
２０  レベルスイッチ
２１  ＰＨ測定センサ
２２  ＰＨ指示調節計
３１  薬注ポンプ
３２  サイフォン止め逆止弁
３３  フロートスィッチ
３４  薬液ポンプレベル制御スイッチ
４１  仕切り
４２  第１室
４３  開口
４４  第２室
４５  仕切り
４６  第３室
４７  放流口
４８  呼び水孔
５１  電源線
５６  固定車輪
５７  首振り車輪
５８  移動ハンドル
５９  吊上げフック
【図１】
2018183727.tif 000003
【図２】
2018183727.tif 000004
【図３】
2018183727.tif 000005
【図４】
2018183727.tif 000006